(57)【要約】【課題】ジョブの設定内容が過去の履歴と異なる場合でも、入力の後戻り作業をすることなく、容易に設定を行うことができるジョブ設定装置、及びジョブ設定処理プログラムを提供する。【解決手段】ユーザがジョブの各設定項目について設定を行う時に、各設定項目への設定が行われる毎に、比較手段１により、その設定内容とメモリ手段１０に保存されているジョブの設定内容の履歴とを比較し、各設定項目の設定内容が前記履歴と異なると判別される度に、その異なることを表示手段２２に警告表示させる。【選択図】  図６
2007179508.tif 000002
【特許請求の範囲】
【請求項１】
ジョブの各設定項目を設定するための設定入力手段と、
過去のジョブの各設定項目の設定内容の履歴を保存するメモリ手段と、
ユーザがジョブの各設定項目について設定する時に、各設定項目への設定が行われる毎に、その設定内容と前記メモリ手段に保存されている設定内容の履歴とを比較する比較手段と、
表示手段と、
前記比較手段により各設定項目の設定内容が前記履歴と異なると判別される度に、その異なることを前記表示手段に警告表示させる制御手段と、
を備えていることを特徴とするジョブ設定装置。
【請求項２】
前記制御手段は、前記比較手段により各設定項目の設定内容が前記履歴と異なると判別される度に、前記履歴に沿った推奨設定への変更を促す内容を前記表示手段に表示させる請求項１に記載のジョブ設定装置。
【請求項３】
ユーザ毎に前記履歴と比較する設定項目を設定可能となされている請求項１または２に記載のジョブ設定装置。
【請求項４】
ジョブの各設定項目を設定するための設定入力を受け付けるステップと、
過去のジョブの各設定項目の設定内容の履歴を保存するステップと、
ユーザがジョブの各設定項目について設定する時に、各設定項目への設定が行われる毎に、その設定内容と前記メモリ手段に保存されている設定内容の履歴とを比較するステップと、
前記比較ステップにより各設定項目の設定内容が前記履歴と異なると判別される度に、その異なることを表示手段に警告表示させるステップと、
をコンピュータに実行させるためのジョブ設定処理プログラム。
【発明の詳細な説明】
【技術分野】
【０００１】
この発明は、例えば多機能デジタル画像形成装置であるＭＦＰ（Multi Function Peripherals) などの画像形成装置に好適に用いられるジョブ設定装置、及びジョブ設定装置におけるジョブ設定処理をコンピュータに実行させるためのジョブ設定処理プログラムに関する。
【背景技術】
【０００２】
例えばＭＦＰを使用する際には、ユーザがコピーやスキャン送信などの設定作業を行う。その設定作業では、カラーモード、解像度およびファイルフォーマット（ＰＤＦやＪＰＥＧなど）などの画像設定、配信先、２ｉｎ１（２ページの画像データを１枚の用紙にプリントするモード）、両面およびステープルなどの仕上げ設定といった多くの設定項目を順次入力しなければならず、設定ミスによる印刷ミスや配信ミスが起こりやすい。
【０００３】
例えば、ファクシミリ（以下、ＦＡＸという）やスキャン送信の場合の電話番号およびメールアドレスなど、宛て先設定に不用意な設定入力ミスがあると、情報漏れなど大きな問題を招くおそれがある。
【０００４】
ＭＦＰでのコピーやスキャン送信など設定作業の設定ミスを防止するために、予めジョブの設定項目についての設定内容を登録しておく方法や、過去の設定内容の履歴を呼び出して使用する方法もある。
【０００５】
しかし、登録した設定内容や履歴内容と同じ設定の場合は問題がないが、設定内容の追加、変更を行う場合には、その追加や変更の入力作業により同様のミスを引き起こすおそれがある。
【０００６】
このような事情から、従来、ユーザが印刷処理を実行するために入力した印刷条件を、過去の設定履歴と比較し、設定履歴と異なった印刷条件が入力された場合には、全部の入力が完了した後に、ユーザに対して警告表示を行うことにより、印刷ミスを低減させるようにした技術が開示されている（例えば、特許文献１参照）。
【特許文献１】特開２００４−１５７６８０号公報
【発明の開示】
【発明が解決しようとする課題】
【０００７】
しかし、特許文献１に記載された技術では、すべての設定項目についての設定が完了した後に、設定履歴と異なったことの警告を表示するものであるから、ユーザがその警告を受けてから、再度、操作パネルにおける設定入力用の画面を選択し、過去の履歴を参照しながら修正の入力作業を行わなければならず、面倒で時間のかかる作業となってしまう。
【０００８】
この発明は、上記実情に鑑みてなされたものであり、ジョブの設定内容が過去の履歴と異なる場合でも、入力の後戻り作業をすることなく、容易に設定を行うことができるジョブ設定装置、及びジョブ設定処理プログラムを提供することを課題とする。
【課題を解決するための手段】
【０００９】
上記課題は、以下の手段によって解決される。
【００１０】
（１）ジョブの各設定項目を設定するための設定入力手段と、過去のジョブの各設定項目の設定内容の履歴を保存するメモリ手段と、ユーザがジョブの各設定項目について設定する時に、各設定項目への設定が行われる毎に、その設定内容と前記メモリ手段に保存されている設定内容の履歴とを比較する比較手段と、表示手段と、前記比較手段により各設定項目の設定内容が前記履歴と異なると判別される度に、その異なることを前記表示手段に警告表示させる制御手段と、を備えていることを特徴とするジョブ設定装置。
【００１１】
（２）前記制御手段は、前記比較手段により各設定項目の設定内容が前記履歴と異なると判別される度に、前記履歴に沿った推奨設定への変更を促す内容を前記表示手段に表示させる前項１に記載のジョブ設定装置。
【００１２】
（３）ユーザ毎に前記履歴と比較する設定項目を設定可能となされている前項１または２に記載のジョブ設定装置。
【００１３】
（４）ジョブの各設定項目を設定するための設定入力を受け付けるステップと、過去のジョブの各設定項目の設定内容の履歴を保存するステップと、ユーザがジョブの各設定項目について設定する時に、各設定項目への設定が行われる毎に、その設定内容と前記メモリ手段に保存されている設定内容の履歴とを比較するステップと、前記比較ステップにより各設定項目の設定内容が前記履歴と異なると判別される度に、その異なることを表示手段に警告表示させるステップと、をコンピュータに実行させるためのジョブ設定処理プログラム。
【発明の効果】
【００１４】
前項（１）に記載された発明によれば、ユーザが設定入力手段によりジョブの各設定項目について設定作業を行う際に、各設定項目への設定が行われる毎に、比較手段により、その設定内容とメモリ手段のジョブの設定内容の履歴とが比較され、各設定項目の設定内容が前記履歴と異なると判別される度に、それが表示手段で警告表示される。
【００１５】
つまり、前記設定項目が履歴と異なることが判別される度に、その項目の設定を修正すればよいから、全部の項目の設定が終了してから最初からやり直す場合に比して、手間が要らず、速やかに設定作業を完了できる。
【００１６】
前項（２）に記載された発明によれば、設定内容が前記履歴と異なると判別される度に、前記履歴に沿った推奨設定への変更を促す内容が表示されるから、ユーザはその表示内容を参照して容易に設定変更が行える。
【００１７】
前項（３）に記載された発明によれば、ユーザ毎に履歴と比較する設定項目を設定可能となされているから、ユーザの使い勝手に合わせた警告／推奨設定の表示が可能となる。
【００１８】
前項（４）に記載された発明によれば、ユーザが設定入力手段によりジョブの各設定項目について設定作業を行う際に、各設定項目への設定が行われる毎に、その設定内容とメモリ手段のジョブの設定内容の履歴とが比較され、各設定項目の設定内容が前記履歴と異なると判別される度に、それが表示手段で警告表示される処理を、コンピュータに実行させることができる。
【発明を実施するための最良の形態】
【００１９】
以下、この発明の一実施形態を図面に基づいて説明する。
【００２０】
図１は、この発明の一実施形態に係るジョブ設定装置が用いられた、多機能デジタル画像形成装置であるＭＦＰの電気的構成を示すブロック図である。
【００２１】
図１において、このＭＦＰは、ＣＰＵ１と、プログラムＲＯＭ２と、ワークＲＡＭ３と、スキャナ部４と、画像保存メモリ５と、プリンタ部６と、操作パネル７と、ネットワークコントローラ８と、ファクシミリ（ＦＡＸ）コントローラ９と、記憶部１０とを備えている。
【００２２】
前記ＣＰＵ１は、全体の動作を統括制御する他に、設定入力と過去の履歴を比較する比較手段として機能し、さらには設定入力された項目と過去の履歴の項目が異なることが判別された場合には、その旨を操作パネル７の表示部２２（図２）に表示させるようになっている。
【００２３】
詳しくは、ユーザがジョブの各設定項目について設定する作業を開始した際に、各設定項目への設定が行われる毎に、その設定内容と前記メモリ手段に保存されているジョブの設定内容の履歴とを比較し、各設定項目の設定内容が前記履歴と異なると判別する度に、その異なることを後述する表示部２２に警告表示させるようになっている。
【００２４】
前記プログラムＲＯＭ２は、ＣＰＵ１の動作プログラムを格納するメモリであり、またワークＲＡＭ３は、ＣＰＵ１の作業領域を提供するメモリである。
【００２５】
前記スキャナ部４は、原稿画像を読み取って画像データに変換するものであり、また、画像保存メモリ５は、スキャナ４で読み取られた画像データや外部装置から送信されてきた画像データ等を一旦保存するメモリである。
【００２６】
前記プリンタ部６は、設定されたジョブ条件に基づいて画像データを用紙にプリントするものである。
【００２７】
前記操作パネル７は、図２に示すように、テンキー部２１と、液晶パネル等からなる表示部２２と、「ファックス」、「スキャン」、「コピー」、「ユニバーサル」の４つのモードを選択する選択キー２３と、ジョブスタートキー２４とを備えている。
【００２８】
前記表示部２２は、ここではタッチパネルで構成されており、入力や選択操作がタッチ式で行えるようになっている。各モード選択キー２３には、モード選択時に点灯するＬＥＤ表示灯２３ａがそれぞれ付設されている。なお、図２では、コピーのモード選択キー２３が選択されて、そのＬＥＤ表示灯２３ａが点灯している状態を示している。
【００２９】
前記操作パネル７は、ジョブの設定項目を入力する設定入力手段としても機能する。
【００３０】
前記ネットワークコントローラ８は、ネットワークを介して接続された外部端末などとの間でデータの送受信を行うための送受信機能を有するものである。また、前記ＦＡＸコントローラ９は、ＦＡＸ送信又はＦＡＸ受信を行うものである。
【００３１】
前記記憶部１０は、例えばハ−ドディスクなどからなり、画像データを保存する他に、ジョブの設定項目についての過去の設定内容を履歴として保存している。
【００３２】
このようなＭＦＰにおいて、ジョブ実行時には、ユーザが前記操作パネル７を使って各設定項目毎に、設定内容を入力する。
【００３３】
ここで、前記操作パネル７において、図２のようにコピーモードが選択状態にあるとする。このコピーモード選択状態の画面から「カラー」の選択ボタンが押下されると、図３に示すような具体的なモードを設定するために、「オートカラー」「フルカラー」「２色カラー」「モノカラー」「ブラック」の各ボタンが表示された設定画面に遷移する。
【００３４】
この画面において、例えば「フルカラー」ボタンが押下されると、フルカラーが設定され、「ＯＫ」ボタンが押下されると、図２の画面に戻る。
【００３５】
コピーに関する設定が終了し、ジョブスタートキー２４が押下されると、コピージョブがスタートする。
【００３６】
そのコピージョブのスタートに伴ってＣＰＵ１が行う設定内容の保存処理を図４のフローチャートを参照して説明する。
【００３７】
図４において、ジョブスタートに伴って、ステップＳ０１では、そのジョブの各設定項目の設定内容を、履歴として記憶部１０に保存する。
【００３８】
記憶部１０に保存された履歴の一例を図５の表に示す。
【００３９】
図５において、例えば、履歴番号１のユーザＡが、２００５年３月１０日に、「コピー」モードを選択し、設定条件は、「カラーコピー」、倍率が「１０００倍」、解像度６００ｄｐｉ、Ｎｉｎ１モード（Ｎ頁の画像データを１枚の用紙に印刷）は設定なし、両面モードも設定なし、ステ−プルも設定なしとなっていることが分かる。
【００４０】
また、履歴番号３〜５については、ＡさんがＦＡＸ送信モードにおいて３つの宛て先に解像度の異なる設定で送信したことが分かる。
【００４１】
ユーザはジョブ条件の設定を項目毎に行っていくが、その一つの項目が設定される毎に、前記ＣＰＵ１では、その設定が図５に示すような設定の履歴と比較され、履歴と異なっていることが判別されると、その都度、履歴と不一致であることの警告を表示部２２に表示させる。この時、その項目の設定毎に、推奨する組み合わせ、例えば、ＦＡＸ送信やスキャン送信時の配信先の推奨組み合わせ、配信先に対する解像度などの推奨画像形式を表示させる。
【００４２】
ユーザによってジョブの設定が行われたときにＣＰＵ１が行う処理（パネル入力処理）を、図６のフローチャートを参照して説明する。この処理は、ＣＰＵ１がプログラムＲＯＭ２に格納されているプログラムに従って動作することにより実行される。
【００４３】
図６において、ユーザが操作パネル７上からジョブの１つの設定項目についての設定値を入力すると、ステップＳ１１で、設定値の入力があったかどうかが判断される。入力がなければ（ステップＳ１１でＮＯ）、そのまま終了する。
【００４４】
設定値の入力があれば（ステップＳ１１でＹＥＳ）、ステップＳ１２では、入力された設定値が履歴と比較されて、ステップＳ１３に進む。
【００４５】
ステップＳ１３では、履歴との比較結果に基づいて、組み合わせの不一致があるか否かが判断され、不一致がなければ（ステップＳ１３でＮＯ）、ステップＳ１４に進み、不一致があれば（ステップＳ１３でＹＥＳ）、ステップＳ１５で、操作パネル７の表示部２２に警告表示が行われる。
【００４６】
ステップＳ１４では、履歴と一部が一致し組み合わせが未設定（一致する設定項目以外の設定項目については設定入力がなされていない）か否かが判断され、組み合わせが未設定でなければ（ステップＳ１４でＮＯ）、そのまま終了し、組み合わせが未設定であれば（ステップＳ１４でＹＥＳ）、ステップＳ１６で、推奨設定内容が表示部２２に表示される。
【００４７】
このような処理が、各設定項目について設定値の入力が行われる度に繰り返される。具体例を挙げると、例えば図５の表において、履歴番号７のユーザＣが設定を行う場合、モードが「コピー」で、「Ｎｉｎ１」の設定が「２ｉｎ１」、「両面」の設定が「あり」、「ステープル」の設定が「あり」の履歴が存在している。
【００４８】
今回、「両面」の設定を「あり」と設定した時、図５の履歴と比較した結果、
「両面」の設定「あり」の項目のみ一致し、「Ｎｉｎ１」及び「ステープル」の設定については未入力であるので、図７に示すように、操作パネル７の表示部２２に『「履歴では、「両面」と「２ｉｎ１」を設定しています。「２ｉｎ１」も設定しますか？』というメーセジを表示し、「２ｉｎ１」が推奨設定であることを表示する。
【００４９】
この表示を見て、ユーザＣが「する」のボタンを押下すれば、「２ｉｎ１」の設定画面に遷移する。また、「２ｉｎ１」の設定後、同様に表示部２２に、「ステープルが推奨設定である」ことが表示され、ユーザＣがステープルの設定について、「する」のボタンを押下すれば、ステープルの設定画面に遷移する。
【００５０】
また、前記履歴番号７のユーザＣが、両面設定を「あり」と設定した後、４ｉｎ１を設定した場合、組合せが履歴と不一致であるので、図８に示すように、操作パネル７の表示部２２に、『「履歴では、「両面」時は「２ｉｎ１」です。「４ｉｎ１」でよろしいですか？』と警告表示を行い、ユーザに設定の確認を促す。
【００５１】
このように、前記設定項目が履歴と異なることが判別される度に、表示部２２に警告表示あるいは推奨表示がなされ、これを見てユーザは設定を確認したり修正すればよいから、全部の設定が終了したのち最初から設定をやり直す方法と違って、設定作業を手間なく、容易に行うことができる。
【００５２】
この実施形態では、今回の設定値と履歴との比較は、以下の組み合わせに対して行われるものとなされている。
（Ａ）コピーモードの時：「カラー」、「倍率」または「Ｎｉｎ１」、「両面」、「ステープル」
（Ｂ）スキャンモードの時：「宛て先」、「カラー」、「用紙」、「倍率」または「Ｎｉｎ１」、「解像度」、「ファイルフォーマット」
（Ｃ）ＦＡＸモードの時：「宛て先」、「用紙」、「倍率」または「Ｎｉｎ１」、「解像度」
（Ｄ）ユニバーサルＳＥＮＤまたは同報送信（複数の宛て先のスキャン送信、ＦＡＸ送信）の時：宛て先の組み合わせ
ただし、この発明は、上記設定項目に限定されることはない。
【００５３】
また、ユーザ毎に、図９に示すように、参照する履歴の時期的範囲および比較対象とする設定項目を設定できるようにすることも可能である。ここでは、○が履歴と比較する項目、×が履歴と比較しない項目である。
【００５４】
これにより、ユーザの使い勝手に合わせた警告表示及び／又は推奨設定表示が可能となる。
【００５５】
図９においては、例えばユーザＡについては、「コピー」モードの場合、比較する履歴は日付が１年以内のものであり、かつ設定項目「用紙」については履歴と比較しない設定となされている。また、ユーザＢについては、「スキャン」モードの場合、比較する履歴は日付が２００３年１月１日以降のものであり、「宛て先」、「カラー」、「用紙」、「倍率」、「解像度」、「ファイルフォーマット」、「Ｎｉｎ１」の各項目が比較対象項目として設定されている。
【００５６】
次に、参照履歴の時期的範囲の設定例及び、比較対象とする設定項目の設定例を図１０および図１１を参照して説明する。
【００５７】
図２に示す表示部２２の画面における「履歴レベル」ボタンを押下すると、図１０に示す「コピー」、「スキャン」などの各モード毎の設定画面に遷移する。
【００５８】
図１０の画面において、「日付」、「カラー」、「用紙」、「倍率」、「Ｎｉｎ１」、
「両面」、「ステープル」の各項目について、「参照する」か「参照しない」かを選択することにより、参照履歴の時期的範囲及び比較対象とする設定項目が設定される。
【００５９】
この画面は「コピー」モードの場合の設定画面を示すものであり、斜線表示してあるように、「用紙」の項目について「参照しない」が選択されており、この選択後に、「ＯＫ」ボタンを押下すれば、内容が確定され、図２の画面に遷移する。他の「ファックス」「スキャン」などの各モードについて設定する場合は、各モードボタンを押下すればよい。
【００６０】
図１０の画面において、「日付」の項目を選択すると、図１１の設定画面に遷移する。
【００６１】
図１１の設定画面において、日付の数値はテンキー２１で入力すればよい。日付の設定後に、「ＯＫ」ボタンを押下すれば、内容が確定され、図１０の画面に戻る。
【図面の簡単な説明】
【００６２】
【図１】この発明の一実施形態に係るジョブ設定装置が適用されたＭＦＰの概略構成を示すブロック図である。
【図２】同じくＭＦＰにおける操作パネルの表示部に表示されたモード設定画面を示す図である。
【図３】図２の画面の「カラー」ボタンの押下に伴って遷移した設定画面を示す図である。
【図４】コピージョブのスタートに伴って設定項目の設定内容を保存する処理を示すフローチャートである。
【図５】ジョブの各設定項目の設定内容の履歴の一例を示す表である。
【図６】ユーザによってジョブの設定が行われたときにＣＰＵが行う処理を示すフローチャートである。
【図７】設定が履歴と一部一致したときの推奨表示画面を示す図である。
【図８】設定が履歴と不一致の時に表示される警告画面の一例を示す図である。
【図９】ユーザ毎に設定された、参照履歴の時期的範囲および比較対象とする設定項目を示す表である。
【図１０】図２の画面の「履歴レベル」ボタンを押下したときに遷移した履歴設定画面を示す図である。
【図１１】図１０の画面の「日付」ボタンを押下したときに遷移した日付設定画面を示す図である。
【符号の説明】
【００６３】
１        ＣＰＵ（比較手段、制御手段）
７        操作パネル（設定入力手段）
１０      記憶部（メモリ手段）
２２      表示部
【図１】
2007179508.tif 000003
【図２】
2007179508.tif 000004
【図３】
2007179508.tif 000005
【図４】
2007179508.tif 000006
【図５】
2007179508.tif 000007
【図６】
2007179508.tif 000008
【図７】
2007179508.tif 000009
【図８】
2007179508.tif 000010
【図９】
2007179508.tif 000011
【図１０】
2007179508.tif 000012
【図１１】
2007179508.tif 000013